【事件の表示】
　平成　４年特許願第２８０９９５号「カラオケ装置」拒絶査定に対する審判事件［平成　６年　４月２２日出願公開、特開平　６−１１０４８０］について、次のとおり審決する。
【結　論】
　本件審判の請求は、成り立たない。
【理　由】
1．本願発明
　本願は、平成４年９月２５日の出願であって、その特許請求の範囲に記載された発明は「カラオケ装置」に係るものと認められるところ、その請求項１に係る発明（以下「本願発明」という。）は、次のとおりのものである。
「【請求項１】　演奏曲を再生する手段と、
　唄い手によってマイクから入力される音声を前記演奏曲と混合して出力する手段と、
　顔部分の画像が除去された動く歌手の姿を含み前記顔部分の位置を示す座標情報が付随された背景動画像を表示する手段と、
　前記唄い手の顔を撮影する手段と、
　この手段で撮影された前記唄い手の顔の画像を前記座標情報によって示される前記歌手の顔部分の位置に前記歌い手の顔の中心が位置するように前記背景動画像に重畳して表示する手段と
　を備えてなることを特徴とするカラオケ装置。」
 ２．刊行物発明
 　これに対して、原審の拒絶の理由に引用された、本願の出願日前である平成４年３月１９日に頒布された「実願平２―７４３２８号（実開平４―３４０７６号公報）のマイクロフィルム」（以下「刊行物１」という。）は、「カラオケシステム」に関するものであって、次の事項が記載されている。
（１）「小ステージ上のマイクロホンの前で歌う本人が、映像・音楽の記録媒体の再生装置が再生する舞台やステージの中に映像として入り込むことができ、あたかも自分が歌手になったような気分で歌を歌うことができるカラオケシステムを提供することを目的としている。」（明細書３頁１４〜１９行）
（２）「第１図は本考案のカラオケシステムの一実施例の構成を示すものである。図において２はマイクロホン１が設けられると共に、背景が青や白の単一色となっている小ステージを示しており、３は小ステージ２上の人物を撮影するためのビデオカメラ、４は映像・音楽の記録媒体（例えば、レーザーディスクやビデオテープ）の再生装置、５は後に詳述する映像音声合成装置、６はスピーカ７の設けられた映像ディスプレイである。映像音声合成装置５には音声系統として、マイクロホン１からの音声の入力端子５１ａと映像・音楽の記録媒体の再生装置４からの音楽の再生信号の入力端子５１ｂとが備えられ、映像系統としてビデオカメラ３からの小ステージ２上の人物を撮影した映像の入力端子５２ａと映像・音楽の記録媒体の再生装置４からの映像の再生信号の入力端子５１ｂとが備えられている。音声入力端子５１ａ、５１ｂに入力された音声信号は音声合成回路５３によって合成される、即ち、映像・音楽の記録媒体の再生装置４からの音楽の再生信号にマイクロホン１からの音声がミックスされる。…（中略）…一方、映像音声合成装置５の映像入力端子５２ａに入力されるビデオカメラ３からの映像は、人物抽出回路５４にて人物像のみが抽出される。この人物抽出回路５４には小ステージ２の背景を青にして人物のみを抜き出す技術や、無地の背景に対して映像の変化する部分のみを取り出す技術等、公知の種々の技術が使用できる。そして、人物抽出回路５４にて抽出された小ステージ２上の人物の映像と、映像入力端子５２ｂに入力される映像・音楽の記録媒体の再生装置４からの背景の映像とが映像合成回路５６において合成される。このとき、映像・音楽の記録媒体の再生装置４からの映像信号は、舞台中央やステージ中央に人物がいない舞台やステージの映像に曲の歌詞が合成されたものであり、例えば、その信号中にこの映像に合成する人物の大きさや位置の制御信号が含まれているものとする。そして、この制御信号に応じて映像合成回路５６は人物抽出回路５４からの人物の映像を拡大、縮小して合成位置に人物像を重ね合わせる。」（５頁１１行ないし７頁１５行、第１図）
（３）「第４図は映像ディスプレイ６に表示される映像を示している。このように、本考案のカラオケシステムでは、小ステージ２の上で歌う人物が大きなステージの像に合成されて映像ディスプレイに表示され、あたかもその人物が大きなステージ上で本物の歌手のように歌う場面が映像ディスプレイ上に表示されるので、小ステージ上で歌う人物はあたかも自分が歌手になったような気分でカラオケを楽しむことができる。なお、本考案のカラオケシステムは、舞台やステージ等の背景が記録されたソフトウェアを充実させることにより、一層の効果を上げることができる。即ち、曲に応じて、その曲を歌う歌手が良く出演するステージの映像をその歌手抜きで録画した映像を集めた記録媒体を用意しておけば、小ステージュ上で歌う人物はその歌手になりきって歌うことができ、カラオケの満足感を一層向上させることができる。また、舞台やステージ等の背景が記録されたソフトウェアとして、舞台やステージのズームアップの場面や異なる方向から撮影場面を用意し、その記録信号中に対応する制御信号を盛り込むと共に、これに対応させて小ステージを撮影するビデオカメラを複数台用意して、制御信号に応じてビデオカメラからの映像信号を切り換えれば、実際のテレビ番組のような映像を作ることができ、より一層雰囲気を盛り上げることが可能になる。」（８頁９行ないし９頁１６行、第４図）
　これらの記載事項からして、刊行物には、「小ステージ上のマイクロホンの前で歌う本人が、映像・音楽の記録媒体の再生装置が再生する舞台やステージの中に映像として入り込むことができ、あたかも自分が歌手になったような気分で歌を歌うことができるカラオケシステムであって、
　マイクロホン１が設けられると共に、背景が青や白の単一色となっている小ステージ、小ステージ２上の人物を撮影するためのビデオカメラ３、映像・音楽の記録媒体（例えば、レーザーディスクやビデオテープ）の再生装置４、後に詳述する映像音声合成装置５、スピーカ７の設けられた映像ディスプレイ６を有しており、映像音声合成装置５には音声系統として、マイクロホン１からの音声の入力端子５１ａと映像・音楽の記録媒体の再生装置４からの音楽の再生信号の入力端子５１ｂとが備えられ、映像系統としてビデオカメラ３からの小ステージ２上の人物を撮影した映像の入力端子５２ａと映像・音楽の記録媒体の再生装置４からの映像の再生信号の入力端子５１ｂとが備えられており、音声入力端子５１ａ、５１ｂに入力された音声信号は音声合成回路５３によって合成され、即ち、映像・音楽の記録媒体の再生装置４からの音楽の再生信号にマイクロホン１からの音声がミックスされ、映像音声合成装置５の映像入力端子５２ａに入力されるビデオカメラ３からの映像は、人物抽出回路５４にて人物像のみが抽出され、人物抽出回路５４にて抽出された小ステージ２上の人物の映像と、映像入力端子５２ｂに入力される映像・音楽の記録媒体の再生装置４からの背景の映像とが映像合成回路５６において合成され、映像・音楽の記録媒体の再生装置４からの映像信号は、舞台中央やステージ中央に人物がいない舞台やステージの映像に曲の歌詞が合成されたものであり、その信号中にこの映像に合成する人物の大きさや位置の制御信号が含まれているものであり、この制御信号に応じて映像合成回路５６は人物抽出回路５４からの人物の映像を拡大、縮小して合成位置に人物像を重ね合わせるものであって、
　小ステージ２の上で歌う人物が大きなステージの像に合成されて映像ディスプレイに表示され、あたかもその人物が大きなステージ上で本物の歌手のように歌う場面が映像ディスプレイ上に表示されて、小ステージ上で歌う人物はあたかも自分が歌手になったような気分でカラオケを楽しむことができ、舞台やステージ等の背景が記録されたソフトウェアを充実させることにより、一層の効果を上げることができ、曲に応じて、その曲を歌う歌手が良く出演するステージの映像をその歌手抜きで録画した映像を集めた記録媒体を用意しておけば、小ステージ上で歌う人物はその歌手になりきって歌うことができ、カラオケの満足感を一層向上させることができ、舞台やステージ等の背景が記録されたソフトウェアとして、舞台やステージのズームアップの場面や異なる方向から撮影場面を用意し、その記録信号中に対応する制御信号を盛り込むと共に、これに対応させて小ステージを撮影するビデオカメラを複数台用意して、制御信号に応じてビデオカメラからの映像信号を切り換えれば、実際のテレビ番組のような映像を作ることができ、より一層雰囲気を盛り上げることが可能になるカラオケシステム。」（以下「刊行物発明」という）が記載されていると認められる。
　また、原審の拒絶の理由に引用された、本願の出願日前である昭和５６年１２月４日に頒布された「特開昭５６―１５７１７８号公報」（以下「刊行物２」という。）には、テレビジョンカメラで撮影された人物画像の頭部と、磁気ディスクに記憶された首から下の人物画像とが、互いの中心線を合致するように合成されて一つの完全な人物画像となる画像合成について記載されている。
３．本願発明と刊行物発明との対比
　本願発明と刊行物発明を対比すると、
(1)刊行物発明の「映像・音楽の記録媒体（例えば、レーザーディスクやビデオテープ）の再生装置」は、映像・音楽の記録媒体の音楽の再生信号を出力するから、本願発明の「演奏曲を再生する手段」に相当する。
(2)刊行物発明の「音声合成回路」は、音声入力端子に入力された上記再生装置からの音楽の再生信号と、人物が歌う小ステージにあるマイクロホンからの音声をミックスするから、本願発明の「唄い手によってマイクから入力される音声を前記演奏曲と混合して出力する手段」に相当する。
(3)刊行物発明の映像ディスプレイに入る信号は、映像・音楽の記録媒体の再生装置４からの映像信号が、舞台中央やステージ中央に人物がいない舞台やステージの映像に曲の歌詞が合成されたものであり、その信号中にこの映像に合成する人物の大きさや位置の制御信号が含まれているものである。
　したがって、刊行物発明は、歌い手の顔部分についてではないが、本願発明の「位置を示す座標情報が付随された背景画像を表示する手段」に対応する構成を有している。
(4) 刊行物発明の「ビデオカメラ」は、小ステージ２上の人物を撮影するためのものであり、当然当該人物の顔部分も撮影するものであるので、「唄い手の顔を撮影する手段」に相当する。
(5)刊行物発明のものは、上記映像信号中にこの映像に合成する人物（歌い手）の大きさや位置の制御信号が含まれているものであり、この制御信号に応じて映像合成回路が人物抽出回路からの人物の映像を拡大、縮小して合成位置に（唄い手である）人物像を重ね合わせるものである。
　したがって、刊行物発明は、歌い手の顔部分についてではないが、本願発明の「撮影された唄い手の画像を座標情報によって示される位置に歌い手が位置するように背景画像に重畳して表示する手段」に対応する構成を有している。
(6)刊行物発明の「カラオケシステム」は、本願発明の「カラオケ装置」に相当する。
(7)したがって、両者は「演奏曲を再生する手段と、唄い手によってマイクから入力される音声を前記演奏曲と混合して出力する手段と、位置を示す座標情報が付随された背景画像を表示する手段と、唄い手を撮影する手段と、この手段で撮影された前記唄い手の画像を前記座標情報によって示される位置に位置するように前記背景画像に重畳して表示する手段とを備えてなることを特徴とするカラオケ装置。」である点で一致するものの、本願発明が、「顔部分の画像が除去された動く歌手の姿を含み前記顔部分の位置を示す座標情報が付随された背景動画像」であって、「顔の画像を（前記）座標情報によって示される歌手の顔部分の位置に歌い手の顔の中心が位置するように」合成するものであるのに対し、刊行物発明は、映像信号（背景画像）が、舞台中央やステージ中央に人物がいない舞台やステージの映像に曲の歌詞が合成されたものであり、その信号中にこの映像に合成する人物の大きさや位置の制御信号が含まれているものであり、この制御信号に応じて映像合成回路が人物抽出回路からの人物の映像を拡大、縮小して合成位置に人物像を重ね合わせるものであり、背景画像が動画像であるかについては明確でない点で一応相違する。
(8)そこで相違点について検討すると、
　刊行物発明の背景画像は、レーザーディスクやビデオテープに記録されるものであり、歌手が良く出演するステージの映像をその歌手抜きで録画するものであり、ズームアップの場面や異なる方向から撮影場面を用意し、その記録信号中に対応する制御信号を盛り込むと共に、これに対応させて小ステージを撮影するビデオカメラを複数台用意して、制御信号に応じてビデオカメラからの映像信号を切り換えれば、実際のテレビ番組のような映像を作ることができるものである。
　すなわち、刊行物発明の背景画像は、主に動画を記録するレーザディスクやビデオテープによって録画され、ビデオカメラからの映像信号を録画するものであり、ズームアップが考慮され、実質的に動画で運営されていることが明らかである実際のテレビ番組のような映像であることが可能なものであることからして、当該背景画像が動画も含むものであることを示唆している。
　さらに、刊行物発明の背景画像は、舞台やステージ等の背景が記録されたソフトウェアとして、舞台やステージのズームアップの場面や異なる方向から撮影場面を用意し、その記録信号中に対応する制御信号を盛り込むものである。してみると、実際のテレビ番組のような映像とするためには、そのズーム状態、撮影方向により人物の合成位置が上記制御信号により随時異ならせることがあることが示唆されている。
　そして、人物動画像と背景動画像を合成するカラオケ装置は周知（必要ならば、特開平２―１２７８８６号公報、特開平３―２４７１８１号公報、特開平４―４９７９２号公報参照）であるところ、一般に、映像信号は１秒３０枚のフレーム画像（１秒３０コマ）である静止画からなることは技術常識であり、刊行物２には、テレビジョンカメラで撮影された人物画像の頭部と、記憶媒体に記憶された首から下の人物画像とが、互いの中心線を合致するように合成して一つの完全な人物画像とする画像合成について開示されている以上、頭部の動画像と首から下の人物動画像とを上記制御信号に基づいて互いの中心線を合致するように随時合成することは、当業者にとって容易に推考できたものであった。
　そして、これらを総合して考慮しても、この相違点は当業者にとって容易に推考できたものであって、また、上記相違点に基づく本願発明の効果に格別顕著なものがあるということもできない。
６．むすび
　以上のとおりであるので、本願発明は、刊行物発明に基いて当業者が容易に発明をすることができたものであるので、特許法第２９条第２項の規定により特許を受けることができない。
　よって、結論のとおり審決する。